【事件の表示】
　特願２００２−　　６３６２「撮像装置」拒絶査定不服審判事件〔平成１５年　７月２５日出願公開、特開２００３−２０９７２５〕について、次のとおり審決する。
【結　論】
　本件審判の請求は、成り立たない。
【理　由】
【第１】経緯（手続・査定・当審拒絶理由通知等）
　
［１］手続の概要
　
　本願は、平成１４年１月１５日の出願であって、手続きの概要は以下のとおりである。
　
　手続補正（明細書の補正）：平成１８年　１月３１日
　拒絶理由通知　　　　　　：平成１９年　５月１１日（起案日）
　意見書　　　　　　　　　：平成１９年　７月２０日
　手続補正（明細書の補正）：平成１９年　７月２０日
　拒絶査定　　　　　　　　：平成１９年　９月２７日（起案日）
　拒絶査定不服審判請求　　：平成１９年１１月　１日
　手続補正（明細書の補正）：平成１９年１１月２６日
　前置報告　　　　　　　　：平成２０年　５月　８日（起案日）
　審尋　　　　　　　　　　：平成２２年　１月　６日（起案日）
　当審拒絶理由通知　　　　：平成２２年　６月　８日（起案日）
　意見書　　　　　　　　　：平成２２年　８月　６日
　手続補正（明細書の補正）：平成２２年　８月　６日
　
　
［２］拒絶査定
　
　原査定の理由は、概略、以下のとおりである。
　
　〈査定の理由〉
　本願の各請求項に係る発明は、下記刊行物（引用例）に記載された発明に基づいて当業者が容易に発明をすることができたものであるから、特許法第２９条第２項の規定により、特許を受けることができない。
　　　　　記
引用例１：特開平０６−０８６１２８号公報
引用例２：特開２００１−０５４０４１号公報
引用例３：特開２００１−１４５０５７号公報
引用例４：特開２００１−３０９２２１号公報
引用例５：特開平１０−２００８５９号公報
　
［３］特許請求の範囲（平成１９年１１月２６日補正）
　審判請求の日から３０日以内にする平成１９年１１月２６日補正による、特許請求の範囲は以下のとおりである。
　
【請求項１】
　被写体を撮像して画像情報を出力する撮像手段と、
　前記画像情報を符号化する画像情報符号化手段と、
　符号化された前記画像情報を記録する画像情報記録手段と、
　前記撮像手段により撮影された画像情報を表示する画像情報表示手段とを備えた撮像装置において、
　複数の撮影モードを選択するモード選択手段を更に備え、
　前記撮像手段により撮影された画像情報を前記画像情報記録手段に記録する場合、前記モード選択手段により選択された撮影モードに応じて、再生時には撮影モード単位に検索可能になるように、撮影モード毎に異なるフォルダに記録することを特徴とする撮像装置。
【請求項２】
　前記画像情報を前記モード選択手段により選択された撮影モードに応じて、撮影モード毎に異なるフォルダに格納する際、該格納するフォルダが存在しない場合、新たにフォルダを作成して該フォルダに記録することを特徴とする請求項１に記載の撮像装置。
【請求項３】
　前記撮影モードは、静止している被写体を撮影する静止画モード、動いている被写体を撮影する動画モード、被写体の音声を録音する音声モード及び前記静止画モードと音声モードを組合わせたモードであることを特徴とする請求項１又は２に記載の撮像装置。
【請求項４】
　被写体を撮像して画像情報を出力する撮像手段と、
　前記画像情報を符号化する画像情報符号化手段と、
　符号化された前記画像情報を記録する画像情報記録手段と、
　前記撮像手段により撮影された画像情報を表示する画像情報表示手段とを備えた撮像装置において、
　機能の異なる複数のレリーズスイッチを更に備え、前記撮像手段により撮影された画像情報を前記画像情報記録手段に記録する場合、前記複数のレリーズスイッチ毎に異なる撮影モードが設定され、操作されたレリーズスイッチに応じて、再生時には撮影モード単位に検索可能になるように、該撮影モード毎に異なるフォルダに前記画像情報を記録することを特徴とする撮像装置。
【請求項５】
　前記複数のレリーズスイッチは、静止している被写体を撮影する際に操作される静止画用レリーズスイッチと動いている被写体を撮影する際に操作される動画用レリーズスイッチにより構成され、前記静止画用レリーズスイッチが操作された場合は、前記撮像手段により静止画として前記画像情報記録手段に記録され、前記動画用レリーズスイッチが操作された場合は、前記撮像手段により動画として前記画像情報記録手段に記録されることを特徴とする請求項４に記載の撮像装置。
　
［４］当審拒絶理由通知
　
　当審が平成２２年６月８日付けで通知した拒絶の理由の概略は、以下のとおりである。
　
　　〈当審が通知した拒絶の理由〉
　
 　　　　　（理由Ａ） 
 　本件出願の請求項１に係る発明は、その出願前日本国内または外国において頒布された下記の刊行物１に記載された発明であるから、特許法第２９条第１項第３号に該当し、特許を受けることができない。 
 　　　　　（理由Ｂ） 
 　本件出願の請求項１〜５に係る発明は、その出願前日本国内において頒布された下記の刊行物１〜３に記載された発明に基づいて、その出願前にその発明の属する技術の分野における通常の知識を有する者が容易に発明をすることができたものであるから、特許法第２９条第２項の規定により特許を受けることができない。 
 　　　　　　　　　記 
 　刊行物１：特開平１１−３４１４２１号公報 
 　刊行物２：特開平１１−１３６６２３号公報 
 　刊行物３：特開平０９−１５４０５２号公報 
　
［５］当審拒絶理由通知に対する補正および意見
　
　当審拒絶理由通知に対してする平成２２年８月６日補正による、特許請求の範囲は以下の通りである。
　
　《特許請求の範囲（平成２２年８月６日補正）》
 【請求項１】
　被写体を撮像して画像情報を出力する撮像手段と、
　前記画像情報を符号化する画像情報符号化手段と、
　符号化された前記画像情報を記録する画像情報記録手段と、
　前記撮像手段により撮影された画像情報を表示する画像情報表示手段とを備えた撮像装置において、
　複数の撮影モードを選択する
回転可能な
ダイヤル
　前記撮像手段により撮影された画像情報を前記画像情報記録手段に記録する場合、前記
回転可能な
ダイヤルを該モードダイヤル上の絵柄を指示ポイントに合わせるように回転させること
【請求項２】
　前記画像情報を前記
回転可能なモードダイヤル
撮影モード毎に異なるフォルダに格納する際、該格納するフォルダが存在しない場合、新たにフォルダを作成して該フォルダに記録することを特徴とする請求項１に記載の撮像装置。
【請求項３】
　前記撮影モードは、静止している被写体を撮影する静止画モード、動いている被写体を撮影する動画モード、被写体の音声を録音する音声モード及び前記静止画モードと音声モードを組合わせたモードであることを特徴とする請求項１又は２に記載の撮像装置。
　
　また、当審拒絶理由通知に対する意見（平成２２年８月６日意見書）の概要は次の通りである。
　
　《意見の概要》
　刊行物１（特開平１１−３４１４２１号公報）には、モードボタンを備えて撮影モードを選択可能であって、記録の際に撮影モードを判定し、静止画モードの場合は通常撮影画像フォルダに撮影した静止画を記録し、動画撮影モードの場合は、動画フォルダに撮影した動画を記録することが記載されています。
　また、再生時には、再生モードを判定し、静止画モードの場合は通常撮影画像フォルダ内の静止画ファイルを検索し、動作再生モードの場合は、動画フォルダ内の動画ファイルを検索することが記載されています。
　刊行物２（特開平１１−１３６６２３号公報）には、音声付きの静止画を記録するモードを有するデジタルカメラが記載されています。
　刊行物３（特開平０９−１５４０５２号公報）には、動画ボタンにより動画を撮影し、静止画ボタンで静止画を撮影すること、さらに動画／静止画の切替スイッチを配設して、動画ボタン／静止画ボタンを１つにすることが記載されています。
　《引用文献との対比》
　本発明では、撮影時のモード選択、及び再生時に撮影モードに応じた検索を行う際のモード選択に、回転可能なモードダイヤルを使用し、モードダイヤル上の絵柄を指示ポイントに合わせるように回転させることで撮影モードを選択するように構成しており、かかる構成によって撮影された画像情報をモード毎に異なるフォルダに格納し、画像の検索を迅速に行うことができます。
　一方、刊行物１には、記録する場合に、撮影モードを判定して、静止画一枚撮影モードの場合は通常撮影画像フォルダに撮影した静止画を記録し、動画撮影モードの場合は動画フォルダに撮影した動画を記録することが記載されています。すなわち、撮影モード毎に異なるフォルダに記録することが記載されています。
　このように、刊行物１の開示の技術は、撮像装置に設けたモード選択手段によって選択されたモードを判定して、そのモードに基づいて動画／静止画を撮影し、モードに従ったフォルダに記録するという点で本願の構成と類似しております。
　しかしながら、刊行物１は、モードボタン１１を押下し、次に方向指示ボタン１３を押下することで撮影モードのアイコンを選択し、最後にセットボタン１２を押下することにより、撮影モードを選択しております。
　これは、本願における、「回転可能なモードダイヤルを使用し、モードダイヤル上の絵柄を指示ポイントに合わせるように回転させることで撮影モードを選択する」という構成とは異なっています。
　新請求項１は、モードダイヤルを回転させることで容易に撮影モードを選択及び検索できますが、刊行物１では、「モードボタン」「方向指示ボタン」「セットボタン」の３種類のボタンを押下する必要があるため、手間が煩雑となります。
　また、刊行物２、３にも、今回の補正により明確となった本願発明に特有の構成は記載されておりません。
　すなわち、刊行物１乃至３には、本願発明に特有の構成及びその構成により得られる顕著な効果は開示も示唆もされおらず、刊行物１乃至３に基づいて、所謂当業者が本願発明に容易に想到し得たとは言えません。
　従って、本願の新請求項１及び従属する請求項２、３は、新規性及び進歩性を有し、拒絶の理由Ａ、Ｂは全て解消しているものと思料致します。
　
【第２】本願発明
　
　本願の請求項１から請求項３までに係る発明は、本願明細書および図面（平成１８年１月３１日付け、平成１９年７月２０日付け、平成１９年１１月２６日付け、および平成２２年８月６日付けの各手続補正書により補正された明細書および図面）の記載からみて、それぞれ、その特許請求の範囲の請求項１から請求項３までに記載したとおりのものであるところ、そのうち、請求項１に係る発明（本願発明ともいう）は、下記のとおりである。
　
　　　　　記（本願発明（【請求項１】、再掲））
　被写体を撮像して画像情報を出力する撮像手段と、
　前記画像情報を符号化する画像情報符号化手段と、
　符号化された前記画像情報を記録する画像情報記録手段と、
　前記撮像手段により撮影された画像情報を表示する画像情報表示手段とを備えた撮像装置において、
　複数の撮影モードを選択する
回転可能な
ダイヤル
　前記撮像手段により撮影された画像情報を前記画像情報記録手段に記録する場合、前記
回転可能な
ダイヤルを該モードダイヤル上の絵柄を指示ポイントに合わせるように回転させること
　
【第３】当審の判断
　
［１］刊行物の記載
  　
　当審の拒絶の理由において引用した上記刊行物１には、図面と共に、次に掲げる記載が認められる。
　
　〈刊行物１：特開平１１−３４１４２１号公報の記載〉
　
〈技術分野〉 　 
　(K1)【０００１】
「【発明の属する技術分野】この発明はデジタルカメラに関し、特に、被写体の画像を１枚ずつ撮影する通常撮影モードと、被写体の画像を連続的に撮影する連写撮影モードと、通常撮影モードで撮影された画像を再生する通常撮影画像再生モードと、連写撮影モードで撮影された画像を再生する連写撮影画像再生モードとを有するデジタルカメラに関する。」
　
　〈目的・課題〉
　(K2)「【０００５】
【発明が解決しようとする課題】しかしながら、上述の従来例では、画像データをディレクトリに格納することについて記載されているものの、ディレクトリからの画像データをパーソナルコンピュータに転送し、閲覧ソフトを用いて所望の画像を再生したり、移動，複写，消去したり、画像の検索を容易にすることについて具体的に記載されていない。
【０００６】それゆえに、この発明の主たる目的は、画像データの再生，移動，複写，消去が簡単であって、画像の検索を容易に行なうことが可能なデジタルカメラを提供することである。」
　
〈実施形態〉
　
　《構成概要》
　(K3)「【００２１】
【発明の実施の形態】図１（ａ）はこの発明の一実施の形態によるデジタルカメラの外観構成を示す正面側（レンズ側）から見た斜視図、図１（ｂ）は後面側から見た斜視図である。
【００２２】図１（ａ）（ｂ）を参照して、このデジタルカメラの正面側にはレンズ１、電源スイッチ連動レンズカバー２、光学ファインダ３、フラッシュ４、セルフタイマ用ＬＥＤ５が設けられ、その上面および側面にはシャッタボタン６、３点式メインスイッチ７、マクロ切換レバー８およびターミナル９が設けられている。また、このデジタルカメラの後面にはＬＣＤ１０、モードボタン１１、セットボタン１２、方向指示ボタン１３およびマイク１４が設けられている。
【００２３】メインスイッチ７は、ＬＣＤ１０をオンした撮影モードと、ＬＣＤ１０をオフした撮影モードと、再生モードとの３つのモードの切換に用いられる。ＬＣＤ１０をオンにした撮影モードでは、ＬＣＤ１０にスルー画像が表示され、そのスルー画像が記録される。ＬＣＤ１０をオフにした撮影モードでは、通常の銀塩式カメラと同様に光学ファインダ３を用いて撮影される。再生モードでは、ＬＣＤ１０がオンされ、再生画像がＬＣＤ１０に表示される。ＬＣＤ１０には、スルー画像および再生画像の他、記録条件、再生機能などを示す種々のアイコン（キャラクタ）も表示される。
【００２４】方向指示ボタン１３の四隅の左方向指示部１３ａ、右方向指示部１３ｂ、上方向指示部１３ｃおよび下方向指示部１３ｄの各々を指で軽く押すことにより、再生画像の送り／戻し、記録条件の設定、再生機能の選択などを行なうことが可能となっている。
【００２５】図２は、このデジタルカメラに内蔵されている画像記録再生回路２０の構成を示す回路ブロック図である。
【００２６】図２を参照して、この画像記録再生回路２０では、システムコントローラ４１は、レンズカバー２、シャッタボタン６、メインスイッチ７、マクロ切換レバー８、モードボタン１１、セットボタン１２および方向指示ボタン１３からの信号に応答して、所定のタイミングで種々の制御信号をＣＰＵ４２に与える。ＣＰＵ４２は、システムコントローラ４１から与えられた制御信号に従って、メモリ制御回路２７およびフラッシュメモリ制御回路４７を制御する。
【００２７】メモリ制御回路２７は、第１信号処理回路２４、第２信号処理回路２９、ＪＰＥＧ回路４４、バッファ２５，２８，４３およびＳＤＲＡＭ２６を制御する。ＳＤＲＡＭ２６の画像データの書込／読出は、バッファ２５，２８，４３を介して行なわれる。バッファ２５，２８，４３と第１信号処理回路２４、第２信号処理回路２９およびＪＰＥＧ回路４４とのデータ転送速度よりも、バッファ２５，２８，４３とＳＤＲＡＭ２６の転送速度（書込／読出速度）を高速にすることにより、これらの回路２４，２９，４４をほぼ同時に動作させることが可能となっている。
【００２８】また、メモリ制御回路２７は、キャラクタ発生器３０およびスイッチ３１を制御して画像データの一部をキャラクタ画像データで置換することにより、スルー画像や再生画像にキャラクタ画像を上書きする。
【００２９】フラッシュメモリ制御回路４７は、バッファ４５およびフラッシュメモリ４６を制御し、ＪＰＥＧ回路４４で圧縮された画像データをバッファ４５を介してフラッシュメモリ４６に書込むとともに、フラッシュメモリ４６から読出したデータをバッファ４５を介してＪＰＥＧ回路４４に与える。」
　
　《撮影モード》
　(K4)「【００３０】撮影モード時は、レンズ１から入射された光像が、図示しない補色フィルタを介してＣＣＤイメージャ２１に照射される。ＣＣＤイメージャ２１は、プログレッシブスキャン（画素順次走査）に従って各画素の電気信号（プログレッシブスキャン信号）を出力する。ＣＣＤイメージャ２１からのプログレッシブスキャン信号は、ＣＤＳ／ＡＧＣ回路２２に与えられる。
【００３１】ＣＤＳ／ＡＧＣ回路２２は、プログレッシブスキャン信号に周知のノイズ除去およびレベル調整を施し、このような処理が施されたプログレッシブスキャン信号は、Ａ／Ｄ変換器２３によってデジタルデータ（画像データ）に変換される。第１信号処理回路２４は、Ａ／Ｄ変換器２３から出力された画像データに周知の白バランス調整およびガンマ補正を施し、その後画像データをバッファ２５を介してＳＤＲＡＭ２６に与える。
【００３２】メモリ制御回路２７は、画像データをＳＤＲＡＭ２６に書込み、その後この画像データをインタレーススキャンによって読出す。したがって、ＳＤＲＡＭ２６から奇数フィールド画像データおよび偶数フィールド画像データが交互に出力される。ＳＤＲＡＭ２６から出力された画像データは、バッファ２８を介して第２信号処理回路２９に入力されるとともに、バッファ４３を介してＪＰＥＧ回路４４に入力される。
【００３３】第２信号処理回路２９は、入力される画像データに色補間などの処理を施し、第２信号処理回路２９から出力された画像データは、スイッチ３１を介してＤ／Ａ変換器３２に与えられる。Ｄ／Ａ変換器３２は、画像データをアナログ信号（画像信号）に変換し、画像信号を出力端子３３を介して出力するとともに、ＬＣＤ１０に与える。このため、図３（ａ）に示すように、ＬＣＤ１０にリアルタイムの動画像（スルー画像）４８が表示される。」
　
　〈記録条件設定・撮影〉
　(K5)「【００３４】この状態でモードボタン１１を押すと、図３（ｂ）に示すように、ＬＣＤ１０の端部に記録条件を示す種々のアイコン５０〜５９が表示される。図３（ｂ）では、各アイコンは図面の簡単化のため単なる白抜きの四角，斜線が施された四角で示されているが、実際には対応する記録条件を示す記号である。アイコン５０〜５９は、それぞれ静止画１枚撮影モード設定、連写撮影モード設定、動画撮影モード設定、解像度設定、音声メモ設定、セルフタイマ設定、マクロモード表示、露出補正設定、デジタルズーム設定を行なうためのものである。
【００３５】アイコン５０〜５９の選択は方向指示ボタン１３で行なわれる。アイコン５０〜５９のうち選択されたアイコン（図では５０）はポジ状態（白抜きの四角）で表示され、それ以外のアイコンはネガ状態（斜線が施された四角）で表示される。この状態でセットボタン１２を押すと、選択されたアイコン（この場合は５０）で示される条件（この場合は静止画１枚撮影モード）が設定される。記録条件を設定した後、モードボタン１１を押すと、アイコン５０〜５９が消えて図３（ａ）の状態に戻る。
【００３６】オペレータがシャッタボタン６を押すと、ＪＰＥＧ回路４４が活性化され、ＳＤＲＡＭ２６から読出されバッファ４３を介してＪＰＥＧ回路４４に入力された画像データがＪＰＥＧフォーマットに従って圧縮され、圧縮データがバッファ４５を介してフラッシュメモリ４６に書込まれる。
【００３７】連写撮影モードでは、１０枚／秒で１５枚の静止画像が連続的に撮影される。動画撮影モードでは、１０フレーム／秒で５秒間の動画像が撮影される。
【００３８】また、メモリ制御回路２７は、バッファ４３に一時的に表示されている画像に間引き処理を施して９画面マルチ再生用の縮小画像（サムネイル画像）を生成する。静止画１枚撮影モードおよび連写撮影モードでは、各静止画像について縮小画像が作成される。動画撮影モードでは、各動画撮影ごとに第１フレームの静止画像についてのみ縮小画像が作成される。縮小画像データは、対応の画像データのインデックスデータとしてフラッシュメモリ４６に書込まれる。」
　
　〈再生〉
　(K6)「【００３９】再生モード時は、フラッシュメモリ４６から読出された圧縮データがバッファ４５を介してＪＰＥＧ回路４４に入力される。ＪＰＥＧ回路４４は、入力された圧縮データを伸長してバッファ４３を介してＳＤＲＡＭ２６に与える。メモリ制御回路２７は、画像データをＳＤＲＡＭ２６に書込み、その後この画像データをインタレーススキャンによって読出す。
【００４０】ＳＤＲＡＭ２６から読出された画像データは、バッファ２８、第２信号処理回路２９、スイッチ３１を介してＤ／Ａ変換器３２に与えられ、アナログ画像信号に変換される。アナログ画像信号は、出力端子３３を介して外部に出力されるとともに、ＬＣＤ１０に与えられる。このため、図４（ａ）に示すように、ＬＣＤ１０に再生画像６０が表示される。この状態で方向指示ボタン１３の左方向指示部１３ａを押すとその再生画像の前に記録された画像が再生され、右方向指示部１３ｂを押すとその再生画像の後に記録された画像が再生される。したがって、所望の画像を選択して再生することができる。」
　
　《ファイル管理方法》
　（記録時、図９〜図１１）
　(K7)「【００４９】次に、このデジタルカメラのファイル管理方法について説明する。図９を参照して、このデジタルカメラでは、フラッシュメモリ４６のメモリ領域にカメラ画像フォルダ８０および動画フォルダ８５が形成され、動画フォルダ８５がカメラ画像フォルダ８０内に格納される。
【００５０】静止画１枚撮影モードでは、撮影された静止画像の画像データは、画像ファイル８１としてカメラ画像フォルダ８０内に格納される。・・・（以下略）
【００５１】連写撮影モードでは、各連写撮影ごとに連写撮影画像フォルダ８３が形成され、１回の連写撮影で撮影された複数の静止画像の各々は画像ファイル８４として対応のフォルダ８３内に格納される。・・・（以下略）
【００５２】動画撮影モードでは、１回の動画撮影で撮影された複数フレームの画像が動画ファイル８６として動画フォルダ８５内に格納される。・・・（以下略）
【００５３】以下、フローチャートを用いて、このファイル管理方法について詳細に説明する。図１０は、フラッシュメモリ（カード）４６の初期設定方法を示すフローチャートである。図１０を参照して、ＣＰＵ４２は、ステップＳ１においてカード４６内を検索しカメラ画像フォルダ８０があるか否かを判別する。カメラ画像フォルダ８０がない場合は、ステップＳ２でカメラ画像フォルダ８０を作成し、さらにステップＳ３でカメラ画像フォルダ８０内に動画フォルダ８５を作成して初期設定を終了する。
【００５４】ステップＳ１においてカメラ画像フォルダ８０があった場合には、ステップＳ４においてカメラ画像フォルダ８０内に動画フォルダ８５があるか否かを判別し、動画フォルダ８５がない場合はステップＳ３に進み、動画フォルダ８５がある場合は初期設定を終了する。
【００５５】図１１は、記録方法を示すフローチャートである。図１１を参照して、ＣＰＵ４２は、ステップＳ１０で撮影モードが静止画１枚撮影モード、連写撮影モード、および動画撮影モードのうちのいずれに設定されているかを判別する。
【００５６】静止画１枚撮影モードが設定されている場合は、ＣＰＵ４２はステップＳ１１において記録先ディレクトリをカメラ画像フォルダ８０に設定し、ステップＳ１２でシャッタボタン６が押されるのを待つ。シャッタボタン６が押された場合は、ＣＰＵ４２は、ステップＳ１３において静止画撮影を行ない、記録を終了する。このとき撮影された静止画像のデータは画像ファイル８１としてカメラ画像フォルダ８０内に格納される。
【００５７】連写撮影モードが設定されている場合は、ＣＰＵ４２はステップＳ１４でシャッタボタン６が押されるのを待つ。シャッタボタン６が押された場合は、ＣＰＵ４２はステップＳ１５で連写フォルダ番号を検索しステップＳ１６で最終フォルダ番号を＋１の番号を付けた新規連写フォルダ８３を作成する。次いでＣＰＵ４２は、ステップＳ１７で記録先ディレクトリを新規に作成した連写フォルダ８３に設定し、ステップＳ１８で連写撮影して記録を終了する。このときメモリ容量の範囲内でシャッタボタン６が離されるまで連写撮影が続けられる。連写撮影された複数の静止画像の画像データは、複数の画像ファイル８４として新規連写フォルダ８３内に格納される。
【００５８】動画撮影モードが設定されている場合は、ＣＰＵ４２は、ステップＳ１９において記録先ディレクトリを動画フォルダ８５に設定し、ステップＳ２０でシャッタボタン６が押されるのを待ち、シャッタボタン６が押されたことに応じてステップＳ２１で動画撮影を行なう。このとき撮影された複数フレームの画像は、動画ファイル８６として動画フォルダ８５内に格納される。」
　《図１６》
　(K8)「【００７６】なお、この実施の形態では、すべてのファイル８１，８２，８４，８６を１つのカメラ画像フォルダ８０内に格納したが、これに限るものではなく図１６に示すように、フラッシュメモリ４６内に通常撮影画像フォルダ９０、連写撮影画像フォルダ９１および動画フォルダ８５を形成し、通常撮影画像フォルダ９０内に通常撮影で得た画像ファイル８１および音声ファイル８２を格納し、連写撮影画像フォルダ９１内に連写撮影で得た連写撮影画像フォルダ８３および画像ファイル８４を格納し、動画フォルダ８５内に動画撮影で得た動画ファイル８６を格納してもよい。」
　
　《他の実施形態（図１９）》
　(K9)「【００７８】図１９はこの発明の他の実施形態におけるデジタルカメラのファイル管理方法を説明するための図であり、前述の図９に対応している。
【００７９】前述の図９に示した実施形態では、静止画１枚撮影モードで撮影した静止画の画像データを画像ファイル８１としてカメラ画像フォルダ８０内に格納するようにし、連写撮影モードでの静止画像の各々を画像ファイル８４として連写撮影画像フォルダ８３に格納し、動画撮影モードで撮影した画像は動画像ファイル８６として動画フォルダ８５内に格納するようにした。
【００８０】これに対して、図１９に示す実施形態では、画像データをフラッシュメモリ４６に格納するために、ディレクトリを作成し、静止画１枚撮影モードで撮影された静止画像の画像データは画像ファイル８１としてディレクトリの１つの通常撮影画像フォルダ８６に格納され、音声メモリカードでマイク１４から吹き込まれた音声のデータは音声ファイル８２として通常撮影画像フォルダ８６内に格納される。そして、他のディレクトリとしての連写撮影画像フォルダ８３に静止画像の画像ファイル８４が格納される。
【００８１】〜【００８３】略
【００８４】次に、図２１を参照して、記録方法について説明する。ただし、図２１において連写撮影モードおよび動画撮影モードの記録方法は図１１と同じであるため説明を省略する。
【００８５】ステップＳ１０で静止画１枚撮影モードが決定されていれば、ステップＳ８３においてＣＰＵ４２は記録先ディレクトリを通常撮影画像フォルダ８６に設定し、ステップＳ１２でシャッタボタン６が押されるのを待つ。シャッタボタン６が押された場合は、ＣＰＵ４２はステップＳ１３において静止画撮影を行ない、記録を終了する。このとき、撮影された静止画像のデータは画像ファイル８１として通常撮影画像フォルダ８６内に格納される。」
　
［２］刊行物１に記載された発明（引用発明）
　
　ア　前提構成（構成概要・撮影モード時の撮像・スルー画像表示）
　刊行物１には、「デジタルカメラに関し」(K1)、「画像データの再生，移動，複写，消去が簡単であって、画像の検索を容易に行なうことが可能なデジタルカメラを提供すること」(K2)を目的とする「デジタルカメラ」が記載されており、
　前掲(K3)(K4)，図１，図２、特に段落【0030】〜【0033】によれば、
　以下の構成を前提構成とする「デジタルカメラ」が認められる｛→引用発明の（ｅ）｝。
　
　「撮影モード時は、レンズ１から入射された光像が、ＣＣＤイメージャ２１」により、「電気信号（プログレッシブスキャン信号）」に変換され、
　「ＣＤＳ／ＡＧＣ回路２２」で「ノイズ除去およびレベル調整」「処理が施され」、「Ａ／Ｄ変換器２３によってデジタルデータ（画像データ）に変換され」、
　画像データは、「第１信号処理回路２４」で「白バランス調整およびガンマ補正が施」され、「バッファ２５を介してＳＤＲＡＭ２６」「に書込み、その後この画像データを」「読出」し、「バッファ２８を介して第２信号処理回路２９に入力され」て「色補間などの処理を施」し、「バッファ４３を介してＪＰＥＧ回路４４に入力」し、
　「第２信号処理回路２９は、入力される画像データに色補間などの処理を施し、第２信号処理回路２９から出力された画像データは」、「Ｄ／Ａ変換器３２」で「アナログ信号（画像信号）に変換」され、「画像信号を出力端子３３を介して出力するとともに、ＬＣＤ１０に与え」、「図３（ａ）に示すように、ＬＣＤ１０にリアルタイムの動画像（スルー画像）４８が表示される。」｛→引用発明の（ａ）（ｂ）｝
　
　イ　記録条件設定・撮影・再生
　
　イ-１　記録条件設定
　前掲(K4)(K5)、特に、段落【0033】〜【0035】によれば、
　「図３（ａ）に示すように、ＬＣＤ１０にリアルタイムの動画像（スルー画像）４８が表示される」「状態で、モードボタン１１を押すと、」
　「ＬＣＤ１０の端部に」、「静止画１枚撮影モード設定、連写撮影モード設定、動画撮影モード設定、解像度設定、音声メモ設定、セルフタイマ設定、マクロモード表示、露出補正設定、デジタルズーム設定」「を示す種々のアイコン５０〜５９が表示され」、
　「方向指示ボタン１３」で「アイコン５０〜５９」を「選択」した「状態でセットボタン１２を押す」ことで、「選択されたアイコン（この場合は５０）で示される」記録条件（この場合は静止画１枚撮影モード）が設定される。｛→引用発明の（ｆ）｝
　
　イ-２　撮影
　前掲(K5)、特に段落【0035】〜【0037】によれば、
　「記録条件」（この場合は静止画１枚撮影モード）「を設定した後、モードボタン１１を押すと、アイコン５０〜５９が消えて図３（ａ）の状態」、すなわち、スルー画像表示状態「に戻」り、「オペレータがシャッタボタン６を押す、すなわち撮影操作をすると、ＪＰＥＧ回路４４が活性化され、ＳＤＲＡＭ２６から読出されバッファ４３を介してＪＰＥＧ回路４４に入力された画像データがＪＰＥＧフォーマットに従って圧縮され、圧縮データがバッファ４５を介してフラッシュメモリ４６に書込まれ」、
　「連写撮影モードでは、１０枚／秒で１５枚の静止画像が連続的に撮影され」、「動画撮影モードでは、１０フレーム／秒で５秒間の動画像が撮影される。」
　すなわち、記録条件設定後、スルー画像表示状態で、撮影操作により、ＪＰＥＧ回路４４が活性化され、ＳＤＲＡＭ２６から読出されバッファ４３を介してＪＰＥＧ回路４４に入力された画像データがＪＰＥＧフォーマットに従って圧縮され、圧縮データがバッファ４５を介してフラッシュメモリ４６に書込まれて、撮影が行われる。｛→引用発明の（ｃ）｝
　撮影は、静止画１枚撮影モードでは１枚の静止画が撮影され、連写撮影モードでは、静止画像が連続的に撮影され、動画撮影モードでは、動画像が撮影されるものである。
　
　イ-３　再生
　前掲(K6)によれば、
　「フラッシュメモリ４６から読出された圧縮データがバッファ４５を介してＪＰＥＧ回路４４に入力され」、「ＪＰＥＧ回路４４は、入力された圧縮データを伸長してバッファ４３を介してＳＤＲＡＭ２６に与え」、「ＳＤＲＡＭ２６から読出された画像データは」、「Ｄ／Ａ変換器３２」で「アナログ画像信号に変換され」、「外部に出力されるとともに、ＬＣＤ１０に与えられ」、「図４（ａ）に示すように、ＬＣＤ１０に再生画像６０が表示される。」｛→引用発明の（ｄ）｝
　
　ウ　ファイル管理・記録方法
　
　ウ−１　図９の実施形態
　上記イ-２｛(K5)｝で、ＪＰＥＧフォーマットで圧縮された画像データがフラッシュメモリ４６に書き込まれて、撮影が行われるところ、
　前掲(K7)によれば、図９に示されるように、
　「静止画１枚撮影モードが設定されている場合は」、「記録先ディレクトリをカメラ画像フォルダ８０に設定し」、「撮影された静止画像の画像データは、画像ファイル８１としてカメラ画像フォルダ８０内に格納され」、
　「連写撮影モードが設定されている場合は」、「記録先ディレクトリを新規に作成した連写フォルダ８３に設定し、」「連写撮影された複数の静止画像の画像データは、複数の画像ファイル８４として」「各連写撮影ごとに連写撮影画像フォルダ８３」「内に格納され」、
　「動画撮影モードが設定されている場合は」、「記録先ディレクトリを動画フォルダ８５に設定し」、「動画撮影」「された複数フレームの画像は、動画ファイル８６として動画フォルダ８５内に格納される。」
　
　ウ-２　図１６（段落【0076】）の実施の形態
　前掲(K8)（段落【0076】）によれば、上記「図９の実施形態」を変形したものが記載されていて、図１６に示されるように、
　 「フラッシュメモリ４６内に通常撮影画像フォルダ９０、連写撮影画像フォルダ９１および動画フォルダ８５を形成し、通常撮影画像フォルダ９０内に通常撮影で得た画像ファイル８１および音声ファイル８２を格納し、連写撮影画像フォルダ９１内に連写撮影で得た連写撮影画像フォルダ８３および画像ファイル８４を格納し、動画フォルダ８５内に動画撮影で得た動画ファイル８６を格納」するものが記載されている。
　この「通常撮影画像フォルダ９０」に格納する「通常撮影で得た画像ファイル８１」とは、静止画１枚撮影モードが設定されている場合に、「撮影される静止画像の画像ファイルであることは、明らかである。
　
　ウ-３　図１９の「他の実施形態」
　前掲(K9)、図１９によれば、この他の実施形態は、上記図９の実施形態（ウ-１）と比べて、
　静止画１枚撮影モードで撮影された静止画像の画像データを、ディレクトリの１つの通常撮影画像フォルダ８６に格納する点が異なるものである。
　
　ウ-４　上記ウ-２（図１６の実施形態）、ウ-３（図１９の他の実施形態）のものからすれば、引用発明として、
　ＪＰＥＧフォーマットで圧縮された画像データがフラッシュメモリ４６に書き込まれて、撮影が行われるところ、
　静止画１枚撮影モードが設定されている場合は、撮影された静止画ファイルは通常撮影画像フォルダ８６に格納し、
　動画撮影モードが設定されている場合は、撮影された動画ファイル（動画撮影された複数フレームの画像）は動画フォルダ８５に格納し、
　連写撮影モードが設定されている場合は、連写撮影された複数の静止画像の画像データ（複数の画像ファイル８４として）は、連写撮影画像用フォルダ（連写毎の撮影画像フォルダ８４を内蔵するフォルダ９１、または、連写毎の撮影画像フォルダ８４）に格納するもの
　を認めることができる。｛→引用発明の（ｇ）｝
　
　エ　引用発明（刊行物１記載発明）
　以上のことから、本願発明と対比する引用発明として、下記の発明を認定することができる。構成要素毎に（ａ）等の記号を付しておく。
　
　　　　　　　記（引用発明）
　
　（ａ）撮影モード時は、レンズ１から入射された光像が、ＣＣＤイメージャ２１により、電気信号（プログレッシブスキャン信号）に変換され、
　ＣＤＳ／ＡＧＣ回路２２でノイズ除去およびレベル調整処理が施され、Ａ／Ｄ変換器２３によってデジタルデータ（画像データ）に変換され、
　画像データは、第１信号処理回路２４で白バランス調整およびガンマ補正が施され、バッファ２５を介してＳＤＲＡＭ２６に書込み、その後この画像データを読出し、バッファ２８を介して第２信号処理回路２９に入力されて色補間などの処理を施し、バッファ４３を介してＪＰＥＧ回路４４に入力し、
　（ｂ）第２信号処理回路２９は、入力される画像データに色補間などの処理を施し、第２信号処理回路２９から出力された画像データは、Ｄ／Ａ変換器３２でアナログ信号（画像信号）に変換され、画像信号を出力端子３３を介して出力するとともに、ＬＣＤ１０に与え、図３（ａ）に示すように、ＬＣＤ１０にリアルタイムの動画像（スルー画像）４８が表示され、
　（ｃ）記録条件設定後、スルー画像表示状態で、撮影操作により、ＪＰＥＧ回路４４が活性化され、ＳＤＲＡＭ２６から読出されバッファ４３を介してＪＰＥＧ回路４４に入力された画像データがＪＰＥＧフォーマットに従って圧縮され、圧縮データがバッファ４５を介してフラッシュメモリ４６に書込まれて、撮影が行われ、
　（ｄ）フラッシュメモリ４６から読出された圧縮データがバッファ４５を介してＪＰＥＧ回路４４に入力され、ＪＰＥＧ回路４４は、入力された圧縮データを伸長してバッファ４３を介してＳＤＲＡＭ２６に与え、ＳＤＲＡＭ２６から読出された画像データは、Ｄ／Ａ変換器３２でアナログ画像信号に変換され、外部に出力されるとともに、ＬＣＤ１０に与えられ、図４（ａ）に示すように、ＬＣＤ１０に再生画像６０が表示される、
　（ｅ）以上（ａ）〜（ｄ）としたデジタルカメラにおいて、
　
　（ｆ）記録条件は、
　ＬＣＤ１０の端部に、静止画１枚撮影モード設定、連写撮影モード設定、動画撮影モード設定、解像度設定、音声メモ設定、セルフタイマ設定、マクロモード表示、露出補正設定、デジタルズーム設定を示す種々のアイコン５０〜５９が表示され、
　方向指示ボタン１３でアイコン５０〜５９を選択した状態でセットボタン１２を押すことで、選択されたアイコンで示される記録条件
　が設定されるようにし、
　
　（ｇ）ＪＰＥＧフォーマットで圧縮された画像データがフラッシュメモリ４６に書き込まれて、撮影が行われるところ、
　静止画１枚撮影モードが設定されている場合は、撮影された静止画ファイルは通常撮影画像フォルダ８６に格納し、
　動画撮影モードが設定されている場合は、撮影された動画ファイル（動画撮影された複数フレームの画像）は動画フォルダ８５に格納し、
　連写撮影モードが設定されている場合は、連写撮影された複数の静止画像の画像データ（複数の画像ファイル８４として）は、連写撮影画像用フォルダ（連写毎の撮影画像フォルダ８４を内蔵するフォルダ９１、または、連写毎の撮影画像フォルダ８４）に格納する
　もの。
　
［３］本願発明と引用発明との対比（対応関係）
　
　（１）本願発明の分説
　本願発明を、構成要件（Ａ〜Ｆ）に分説して示せば、下記のとおりである。
　
　　　　　記（本願発明（【請求項１】、分説）
　
Ａ　被写体を撮像して画像情報を出力する撮像手段と、
Ｂ　前記画像情報を符号化する画像情報符号化手段と、
Ｃ　符号化された前記画像情報を記録する画像情報記録手段と、
Ｄ　前記撮像手段により撮影された画像情報を表示する画像情報表示手段　を備えた
Ｇ　撮像装置において、
Ｅ　複数の撮影モードを選択する
回転可能な
ダイヤル
Ｆ　前記撮像手段により撮影された画像情報を前記画像情報記録手段に記録する場合、前記
回転可能な
ダイヤルを該モードダイヤル上の絵柄を指示ポイントに合わせるように回転させること
Ｇ　を特徴とする撮像装置。
　
　（２）要件Ａ〜Ｄ，Ｇについて　
　〈要件Ｇ〉
　引用発明の（ｅ）「デジタルカメラ」は、「撮像装置」といえ、この点、本願発明と相違はない。
　〈要件Ｂ〉
　また、引用発明の（ｃ）「ＪＰＥＧ回路４４」は、「入力された画像データ」を「ＪＰＥＧフォーマットに従って圧縮」するところ、
　これが「符号化」するものであることは明らかであり、ＪＰＥＧ回路４４に入力される「画像データ」が「画像情報」と言い得ることも明らかであるから、
　引用発明も、本願発明でいう「画像情報を符号化する画像情報符号化手段」を備えていると言え、要件Ｂを備えるとする本願発明と相違しない。
　〈要件Ａ〉
　そして、引用発明の（ａ）における、ＣＣＤイメージャ２１、または、ＣＣＤイメージャ２１からＪＰＥＧ回路４４に入力する画像データを作成するまでのものは、「被写体を撮像して画像情報を出力する撮像手段」と言うことができ、要件Ａを備えるとする本願発明と相違しない。
　〈要件Ｃ〉
　 引用発明も、（ｃ）「ＪＰＥＧ回路４４に入力された画像データがＪＰＥＧフォーマットに従って圧縮され、圧縮データがバッファ４５を介してフラッシュメモリ４６に書込まれ」るから、本願発明でいう「符号化された前記画像情報を記録する画像情報記録手段」を備えていると言え、要件Ｃを備えるとする本願発明と相違しない。
　〈要件Ｄ〉
　引用発明では、
　（ｂ）第２信号処理回路２９は、入力される画像データに色補間などの処理を施し、第２信号処理回路２９から出力された画像データは、Ｄ／Ａ変換器３２でアナログ信号（画像信号）に変換され、画像信号を出力端子３３を介して出力するとともに、ＬＣＤ１０に与え、図３（ａ）に示すように、ＬＣＤ１０にリアルタイムの動画像（スルー画像）４８が表示され、
  （ｄ）フラッシュメモリ４６から読出された圧縮データがバッファ４５を介してＪＰＥＧ回路４４に入力され、ＪＰＥＧ回路４４は、入力された圧縮データを伸長してバッファ４３を介してＳＤＲＡＭ２６に与え、ＳＤＲＡＭ２６から読出された画像データは、Ｄ／Ａ変換器３２でアナログ画像信号に変換され、外部に出力されるとともに、ＬＣＤ１０に与えられ、図４（ａ）に示すように、ＬＣＤ１０に再生画像６０が表示される
　ところ、
　引用発明が備える「ＬＣＤ１０」は、「前記撮像手段により撮影された画像情報を表示する画像情報表示手段」といえ、要件Ｄにおいても、本願発明と相違しない。
　
　（３）要件Ｅ、Ｆについて
　
　ア　本願発明でいう「複数の撮影モードを選択する・・・ダイアル」、「複数の撮影モード」、「撮影モード毎に異なるフォルダに記録」について
　本願発明でいう「複数の撮影モードを選択する・・・ダイアル」とは、本願明細書・図面の下記記載に照らせば、
　静止画撮影モードと動画撮影モードの２つのモードが存在していて、これらの
２つの「撮影モード」の１つを選択することができる
　本願発明でいう「複数の撮影モード」とは、静止画撮影モードと動画撮影モードの２つモードに限られる訳ではないが、これら２つのモードを含んだ撮影モードを含むものと認められる。
　また、「撮影モード毎に異なるフォルダ」とは、静止画撮影モードでの記録と動画撮影モードでの記録が、異なるフォルダに記録されることを含んで言うものと理解される。
　
　　　　　　記（本願明細書・図面の記載）
・「デジタルカメラは静止画だけでなく動画、音声、音声付き静止画など、複数の撮影モードを有するものがある。・・・本発明は、かかる課題に鑑み、
撮影モードを静止画と動画に分け、各モード毎にフォルダを分けて記録する
・「次に、図１を参照しながら、本構成のデジタルカメラ１００の動作概要について説明する。操作者は、まず、
モードダイヤル１８
・「図２は、本発明の第１の実施形態に係るデジタルカメラのモードダイヤルの外観図である。この
モードダイヤル２１
特徴的な部分のみの説明として
例えば、
同時に複数のモードが選択されなければどのような形でも構わない。
・図２のダイアルには、上記段落【0011】に例示されたモードの他、「動画モード２４」と「その他モード２３」間にある「連写」らしきアイコンや、「再生」を意味するアイコンやＭＵＳＩＣ、ＳＥＴ　ＵＰ等も示されている。
・「図４は、本発明の画像データをファイルイに格納する動作を説明するためのフローチャートである。図１〜図３と併せて参照しながら説明する。まず、モ
ードダイヤル１８により撮影モードを選択する
静止画モード２２を選択し撮影を行った場合
動画モードで撮影した場合
　
　イ　撮影モードの選択の仕方について
　引用発明では、「（ｆ）記録条件は、
　ＬＣＤ１０の端部に、
静止画１枚撮影モード設定
連写撮影モード設定
動画撮影モード設定
　方向指示ボタン１３でアイコン５０〜５９を選択した状態でセットボタン１２を押すことで、選択されたアイコンで示される記録条件
　が設定されるようにし」ているところ、
　記録条件のうち、「静止画１枚撮影モード」、「動画撮影モード」は、上記アを踏まえれば、それぞれ、本願発明で言う「撮影モード」といえ、
　これら「静止画１枚撮影モード」と「動画撮影モード」の２つのモードは、本願発明でいう「複数の撮影モード」と言うことができ、
　上記（ｆ）は、
「複数の撮影モード」の１つを選択することができる
撮影モード選択手段
　さらに、引用発明で選択できる「連写撮影モード」も「撮影モード」と言い得るものであるから、
　「複数の撮影モード」に「連写撮影モード」を含めても、引用発明は、「複数の撮影モードを選択する『
撮影モード選択手段
　一方、本願発明の要件Ｅの「
回転可能な
ダイヤル
撮影モード選択手段
　
　したがって、本願発明と引用発明は、
　「複数の撮影モードを選択する『
撮影モード選択手段
　『
撮影モード選択手段
　本願発明では、
回転可能な
ダイヤル
　引用発明では、ＬＣＤ１０に選択可能に表示されるアイコンと、アイコンを選択する方向指示ボタンと、セットボタンから構成される点
　では相違が認められる。
　
　また、『
撮影モード選択手段
　本願発明では、
　前記
回転可能な
ダイヤルを該モードダイヤル上の絵柄を指示ポイントに合わせるように回転させること
　引用発明では、
　上記（ｆ）のとおり、ＬＣＤ１０の端部に表示したアイコンを方向指示ボタンで選択してセットボタンを押すことで行われ、この点、相違が認められる。
　
　ウ　要件Ｆのうち、「前記撮像手段により撮影された画像情報を前記画像情報記録手段に記録する場合、選択された撮影モードに応じて、再生時には撮影モード単位に検索可能になるように、撮影モード毎に異なるフォルダに記録する」ことについて
　
　引用発明は、
　（ｇ）ＪＰＥＧフォーマットで圧縮された画像データがフラッシュメモリ４６に書き込まれるところ、
　静止画１枚撮影モードが設定されている場合は、撮影された静止画ファイルは通常撮影画像フォルダ８６に格納し、
　動画撮影モードが設定されている場合は、撮影された動画ファイル（動画撮影された複数フレームの画像）は動画フォルダ８５に格納し、
　連写撮影モードが設定されている場合は、連写撮影された複数の静止画像の画像データ（複数の画像ファイル８４として）は、連写撮影画像用フォルダ（連写毎の撮影画像フォルダ８４を内蔵するフォルダ９１、または、連写毎の撮影画像フォルダ８４）に格納する
　ものであり、
　「フラッシュメモリ４６」は、本願発明でいう「前記画像情報記録手段」といえるから、
　引用発明も、「前記撮像手段により撮影された画像情報を前記画像情報記録手段に記録する」と言うことができる。
　
　また、「静止画１枚撮影モード」及び「動画撮影モード」、又は、これらのモードと「連写撮影モード」は、
　「複数の撮影モードを選択する『
撮影モード選択手段
　選択された撮影モードが、
　・「静止画１枚撮影モード」の場合、撮影された動画ファイル（動画撮影された複数フレームの画像）は動画フォルダ８５に記録され、
　・「動画撮影モード」の場合、撮影された動画ファイルは動画フォルダ８５に記録される。
　・また、「連写撮影モード」の場合も、連写撮影された複数の静止画像の画像データは、「連写撮影モード」に対応する
連写撮影画像用フォルダ
　そして、このように記録すれば、「再生時には撮影モード単位に検索可能になるように」なるものである。
　また、「静止画１枚撮影モード」の場合と、「動画撮影モード」の場合とでは、異なるフォルダに記録されるものであり、
　「連写撮影モード」についてみても、「静止画１枚撮影モード」の場合とも「動画撮影モード」とも異なるフォルダに記録されるものであるから、
　「撮影モード毎に異なるフォルダに記録する」と言い得るものである。
　
　以上によれば、引用発明も、「前記撮像手段により撮影された画像情報を前記画像情報記録手段に記録する場合、選択された撮影モードに応じて、再生時には撮影モード単位に検索可能になるように、撮影モード毎に異なるフォルダに記録する」と言うことができ、この点、本願発明と相違しない。
　
［４］一致点・相違点
　以上の対比結果によれば、本願発明と引用発明との一致点および相違点は、下記のとおりである。 
 　 
　　　　　　　　記（一致点）  
Ａ　被写体を撮像して画像情報を出力する撮像手段と、
Ｂ　前記画像情報を符号化する画像情報符号化手段と、
Ｃ　符号化された前記画像情報を記録する画像情報記録手段と、
Ｄ　前記撮像手段により撮影された画像情報を表示する画像情報表示手段　を備えた
Ｇ　撮像装置において、
Ｅ’複数の撮影モードを選択する『撮影モード選択手段』を更に備え、
Ｆ’前記撮像手段により撮影された画像情報を前記画像情報記録手段に記録する場合、前記『撮影モード選択手段』により選択された撮影モードに応じて、再生時には撮影モード単位に検索可能になるように、撮影モード毎に異なるフォルダに記録すること
Ｇ　を特徴とする撮像装置。
　
　　　　　　　　記（相違点）
　
　本願発明では、
　『撮影モード選択手段』が、回転可能なモードダイヤルであって、
　『撮影モード選択手段』による撮影モードの選択が、
　　前記回転可能なモードダイヤルを該モードダイヤル上の絵柄を指示ポイントに合わせるように回転させることにより行われる
　とするのに対して、
　引用発明では、
　『撮影モード選択手段』が、ＬＣＤ１０に選択可能に表示されるアイコンと、アイコンを選択する方向指示ボタンと、セットボタンから構成され、
　『撮影モード選択手段』による撮影モードの選択が、
　　ＬＣＤ１０の端部に表示したアイコンを方向指示ボタンで選択してセットボタンを押すことで行われる点
　
［５］相違点等の判断
　
　［相違点の克服］
　引用発明の上記『撮影モード選択手段』を、
　　回転可能なモードダイヤルとし、
　引用発明の上記『撮影モード選択手段』による撮影モードの選択を、
　　前記回転可能なモードダイヤルを該モードダイヤル上の絵柄を指示ポイントに合わせるように回転させることにより行われるようにすることで、
　上記［相違点］は克服される。
　　
　そして、上記［相違点の克服］により、本願発明に到達する。
　
　〈［相違点の克服］の容易想到性〉
　
　ア　慣用技術・周知技術・常套技術等
　(i)一般に、例えば、ポートレートモード、風景モード、夜景モード、マクロモード等の複数の撮影モードを選択するようにした回転可能なモードダイヤルを備えたカメラはごく普通に慣用されており、
　また、そのような回転可能なモードダイヤル上に選択すべき撮影モードを表す絵柄を表示し、絵柄を指示ポイントに合わせるようにしたカメラもごく普通に慣用されている。
　これらのことは、当業者のみならず一般人にも周知にすぎないことであり、回転可能なモードダイヤルで撮影モードを選択する場合、選択すべき撮影モードを表す絵柄をモードダイヤル上に表示することも常套である。
　これには、例えば、下記周知例１〜３が参照される。周知例１には、回転可能なモードダイヤル上に「動画撮影モード」を含め、各モードであることを表す絵柄を表示することも記載されている。
　
　(ii)そして、「静止画撮影モード」・「動画撮影モード」という撮影モードについてみても、これら撮影モードを回転可能なモードダイヤルを回転して選択するようにすることも、また、周知事項にすぎない｛例えば、下記周知例４〜７等参照｝し、
　「静止画撮影モード」・「動画撮影モード」についても絵柄表示を用いることは周知にすぎない｛例えば、下記周知例１，５等｝。
　
　イ　容易想到性の判断
　上記ア（慣用技術・周知技術等）を考慮すれば、
　引用発明の上記『撮影モード選択手段』｛静止画撮影モード、動画撮影モード、連写撮影モードを選択することを含むもの｝を、回転可能なモードダイヤルとし、
　引用発明の上記『撮影モード選択手段』による撮影モードの選択を、
　　前記回転可能なモードダイヤルを該モードダイヤル上の撮影モードの表示を指示ポイントに合わせるように回転させることにより行われるようにすることは、当業者が容易に想到し得ることである。
　そして、このとき、回転可能なモードダイヤル上の撮影モードの表示に、撮影モードを表す絵柄を用いることも、
　上記ア（慣用技術・周知技術等）や、引用発明の（ｆ）でも「アイコン」を用いていることからみて、当業者が容易に想到し得ることである。
　
　すなわち、上記［相違点の克服］は、周知・慣用技術に基づいて当業者が容易に想到し得ることである。
　
　　　　　　　　記（周知例１〜７）
　
　(1)周知例１：特開２００１−２１１４２１号公報
　｛段落【0028】、【0043】、図４等｝
　〈記載事項の摘示〉
「【００２８】また、カメラ１０の上面にはレリーズボタン３０、モードダイヤル３２及びポップアップ式のストロボ発光装置３４が設けられている。レリーズボタン３０は、画像の記録開始を指示する手段であり、動画記録時には録画開始と録画停止を指示する録画ボタンとして兼用される。モードダイヤル３２はレリーズボタン３０の外周に回動自在に設けられたダイヤルスイッチであり、このダイヤルを回して指標３５に合わせて停止させることにより、カメラ１０のモードを変更することができる。リング形のモードダイヤル３２の内側にレリーズボタン３０を配置する構造によって、これら操作部材をスペース効率よくカメラ本体に設けることができる。」
「【００４３】図４はモードダイヤル３２の拡大図である。モードダイヤル３２は、セットアップモード、
ムービー撮影モード
各モードを表すシンボルマーク（モードを象徴する絵文字や記号若しくはこれらの組み合わせ
　
　(2)周知例２：特開２００１−１４２６２２号公報
　｛段落【0021】〜【0027】、図３，４，７等｝
　〈記載事項の摘示〉
　「【００２１】上記電源スイッチ兼モード切換スイッチ４０は、電源ＯＦＦとなる中立位置と、電源ＯＮ且つ動画モードとなる位置と、電源ＯＮ且つ静止画モードとなる位置の３ポジションを切り換える。尚、電源スイッチ兼モード切換スイッチ４０の代わりに電源ＯＮ／ＯＦＦのみのスイッチとし、前記
動画モードと静止画モードは他の切換スイッチや、モードダイヤルで切り換えてもよい。
【００２３】図３（Ａ）はモードダイヤル２０の平面図であり、図３（Ｂ）は図３（Ａ）のＢ−Ｂ線に沿う断面図である。
【００２４】図３（Ａ）及び（Ｂ）に示すようにモードダイヤル２０は、主として回転板２２と、６つの操作スイッチ２４Ａ〜２４Ｆと、回転板２２の回転位置に応じて再生モード、撮影モード、パソコン（ＰＣ）モードの各動作モードを選択切り換えする手段（図示せず）とから構成されている。
【００２５】前記回転板２２はドーナツ形状を有し、その回転中心から同一半径の円周上に８つの開口２２Ａ〜２２Ｈが形成されており、また、再生モード、撮影モード、ＰＣモードを示すアイコン２６Ａ、２６Ｂ、２６Ｃがその表面に印刷されている。
【００２６】この回転板２２を回転させ、上記アイコン２６Ａ、２６Ｂ、２６Ｃのうちのいずれかをカメラ本体側のマーカ２７に合わせることにより再生モード、撮影モード、ＰＣモードのうちのいずれかの動作モードに切り換えられる。尚、再生モード、撮影モード、ＰＣモードを切り換える手段は、一般に回転板２２と一体となって回転するブラシと、このブラシが摺動するコード板とからなり（図示せず）、回転板２２の回転位置に応じたモード選択信号がコード板から得られるようになっている。
【００２７】６つの操作スイッチ２４Ａ〜２４Ｆは、それぞれストロボ強制発光モード、マクロ撮影モード、セルフタイマー撮影モード、マニュアル撮影モード、撮影画像の消去を禁止するためのプロテクトモード、及び撮影画像を消去するための消去モードを設定するスイッチであり、カメラ本体上の所定の位置に配置されている。これらの操作スイッチ２４Ａ〜２４Ｆは、例えばノンロック式の押しボタンスイッチやタッチスイッチによって構成され、ワンプッシュ（ワンタッチ）されるごとにＯＮ／ＯＦＦを交互に繰り返すようになっている。」
　
　(3)周知例３：特開２００１−２４５１８９号公報
　｛例えば、段落【0043】，図５等｝
　〈記載事項の摘示〉
「【００４３】図５は、図３におけるモードダイヤル１２０およびジョイスティック１２２の拡大図である。モードダイヤル１２０の表面には、
複数のモードを示すシンボルマーク
　
　(4)周知例４：特開２００１−６９３９２号公報
　｛例えば、段落【0028】，図５等｝
　〈記載事項の摘示〉
　「【００２８】カメラ１０が静止画モードのときは、DSC１０が電源オンになると、ユーザは人差し指でストロボ押しボタン７０ａ（図５及び図６）を押下して、現在の撮影セッションの間、現在のストロボモードを設定することができる。カメラの筐体１４上の手動作動可能な制御部に回転式ダイヤル（dial rotatable、不図示）を設けて、所望のモードの次のダイヤル上にポインタを配置することによっていくつかの異なる動作モードから１つのモードを選択することができる。これらの異なる動作モードには、
静止画モード、動画ビデオモード
　
　(5)周知例５：特開２００１−３４６０７５号公報
　｛例えば、段落【0020】，図２等｝
　〈記載事項の摘示〉
「【００２０】図２に示すデジタルカメラ１０の背面には、ファインダー２４、モードダイヤル２６、右キー２８、左キー３０、及び上／下レバー３２、メニュー／実行キー３４、キャンセル／戻るキー３６、表示キー３８、及び液晶モニタ４０等が設けられている。モードダイヤル２６は、カメラモードにおけるカメラの機能を変更するもので、モードダイヤル２６を回動操作することにより、スチル撮影を行う撮影モード、撮影した画像を再生する再生モード、又は動画撮影を行うムービーモードを設定する。」
　図２には、モードダイヤル２６の周囲には、スチル撮影を行う撮影モード、撮影した画像を再生する再生モード、動画撮影を行うムービーモードを示す絵柄を表示することも記載されている。
　
　(6)周知例６：特開平２０００−３２４３６８号公報
　｛例えば、段落【0011】，図２等｝
　〈記載事項の摘示〉
　「【００１１】なお、符号４４で示すようにカードインターフェースを２つ以上有し、複数のメモリカード４６、２６を同時に装着できる構成にしてもよい。この場合、複数のメモリカード２６、４６のうち、必要に応じて、アクディブにするメモリカードを切り替えるためのメディア切替スイッチ４８を設けることが好ましい。モード切替スイッチ３４は、静止画モードと動画モードとを切り替えるための操作部であって、ユーザが撮影状況に応じてカメラモードを選択する時に操作される。このモード切替スイッチ３４は例えば、図２（ａ）に示すようなダイヤルスイッチ３４Ａで構成され、
ダイヤルの上面には静止画モードを示す「Still 」及び動画モードを示す「Move」の文字が形成されている
　
　(7)周知例７：特開２００１−３５９１１７号公報
　｛例えば、段落【0091】，図１６等｝
　〈記載事項の摘示〉
　「【００９１】図１６（ａ）において、４０は液晶等の表示用モニタで、撮像中の映像、或はビデオ再生で再生された映像等が表示される。１２４は撮像用のレンズ、１２５はズームレバーで、ズームレンズによるズームを指示するのに使用される。３４は、動画（ＭＯＶＩＥ）／静止画（ＳＴＩＬＬ）／再生（ＶＩＤＥＯ）／電源ＯＦＦ（ＯＦＦ）の各動作モードを選択するモード選択ダイヤルである。３６は領域指定レバーで、撮像する映像の中の任意の領域を指定するのに使用される。」
　
　ウ　まとめ
　以上、引用発明を出発点として、上記［相違点の克服］を行うことで、本願発明の構成に達することになるところ、その克服は当業者が容易になし得ることである。
　そして、本願発明の構成は、上記のとおり当業者容易想到であるところ、本願発明の効果は、その容易想到である構成から当業者が予測し得る範囲内のものであり、同範囲を超える格別顕著なものでもない。
　
［６］まとめ（当審の判断）　
　以上のように、本願発明は、刊行物１に記載された発明および周知慣用技術・常套技術に基づいて当業者が容易に想到し得るものであり、その効果も、刊行物１および周知慣用技術・常套技術から当業者が予測し得る範囲内のものである。
　
【第４】むすび
　以上のとおり、本願の請求項１に係る発明は、上記刊行物１に記載された発明および周知慣用技術・常套技術に基づいて当業者が容易に発明をすることができたものであるから、特許法第２９条第２項の規定により特許を受けることができない。 
　それ故、本願の他の請求項について検討するまでもなく、本願は拒絶すべきものである。
　
　よって、結論のとおり審決する。